(57)【要約】【課題】原子力発電において発生する使用済み燃料プール水中の酸化促進物質を低減させ、燃料プール水浄化装置におけるイオン交換樹脂を長寿命化させ、イオン交換樹脂の交換頻度を減少させる方法及び装置を提供する。【解決手段】イオン交換樹脂の表層に２ｃｍ以上１０ｃｍ以下の層高で積層させた金属担持樹脂を充填してなる原子力発電使用済み燃料プール水浄化装置に、原子力発電使用済み燃料プール水を通水線流速３０ｍ／ｈ以上５０ｍ／ｈ以下の範囲で通水して、使用済み燃料プール水に含まれている過酸化水素水を含む酸化促進物質を分解し、次いで、イオン交換樹脂に接触させることを含み、過酸化水素の分解率が９０％以上である、原子力発電使用済み燃料プール水浄化方法。【選択図】図１
2018084590.tif 000002
【特許請求の範囲】
【請求項１】
イオン交換樹脂の表層に２ｃｍ以上１０ｃｍ以下の層高で積層させた金属担持樹脂を充填してなる原子力発電使用済み燃料プール水浄化装置に、原子力発電使用済み燃料プール水を通水線流速３０ｍ／ｈ以上５０ｍ／ｈ以下で通水して、使用済み燃料プール水に含まれている酸化促進物質を分解し、次いで、イオン交換樹脂に接触させることを含む、原子力発電使用済み燃料プール水浄化方法であって、
酸化促進物質が過酸化水素を含み、使用済み燃料プール水中の過酸化水素の分解率が９０％以上である、上記方法。
【請求項２】
前記金属担持樹脂に担持されている金属は、パラジウム、白金、マンガン、鉄又はチタンの微粒子から選択される、請求項１に記載の原子力発電使用済み燃料プール水浄化方法。
【請求項３】
前記酸化促進物質は、さらにヒドロペルオキシラジカル、ヒドロキシラジカル、またはこれらの組み合せを含む、請求項１又は２に記載の原子力発電使用済み燃料プール水浄化方法。
【請求項４】
原子力発電使用済み燃料プールからの使用済み燃料プール水を、請求項１〜３のいずれか１項に記載の原子力発電使用済み燃料プール水浄化方法により前記原子力発電使用済み燃料プール水浄化装置で浄化した後、再び原子力発電使用済み燃料プールに戻して利用する、原子力発電使用済み燃料プール水処理方法。
【請求項５】
イオン交換樹脂の表層に２ｃｍ以上１０ｃｍ以下の層高で積層させた金属担持樹脂を充填してなる、請求項１〜３のいずれか１項に記載の方法に用いるための原子力発電使用済み燃料プール水浄化装置。
【請求項６】
原子力発電プラント使用済み燃料プールと、
イオン交換樹脂の表層に２ｃｍ以上１０ｃｍ以下の層高で積層させた金属担持樹脂を充填してなる原子力発電使用済み燃料プール水浄化装置と、
該原子力発電プラント使用済み燃料プールから、該原子力発電使用済み燃料プール水浄化装置へ、原子力発電使用済み燃料プール水を送液する送液ラインと、
該原子力発電使用済み燃料プール水浄化装置にて浄化された使用済み燃料プール水を該原子力発電使用済み燃料プールへ戻す使用済み燃料プール水循環ラインと、
を具備する、請求項４に記載の方法に用いるための原子力発電使用済み燃料プール水処理装置。
【発明の詳細な説明】
【技術分野】
【０００１】
本発明は、原子力発電所にて発生する使用済み燃料プール水の処理方法及び装置に関し、特に、使用済み燃料プール水流に含まれる過酸化水素などの酸化促進物質を分解除去する浄化方法及び装置並びに当該浄化方法及び装置を組み込んだ使用済み燃料プール水処理方法及び装置に関する。
【背景技術】
【０００２】
原子力発電所にて発生する使用済み燃料プール水を浄化して再び使用済み燃料棒の冷却水として循環使用する目的で、粒状イオン交換樹脂を用いた脱塩装置が燃料プール水浄化装置として設けられている。この脱塩装置は、保管されている使用済み燃料や種々の材料の腐食を抑止し、プール水中の放射性物質を除去することにより作業員の被ばく量を低減するなど健全性を長期間にわたり維持する目的で設置されている。
【０００３】
脱塩装置においては、イオン交換樹脂の能力低下時にはイオン交換樹脂を交換することが必要になり、その際には、新しいイオン交換樹脂の費用に加えて、使用済みイオン交換樹脂が放射性廃棄物として発生するため、放射性廃棄物の処理に伴う費用及び場所が必要になる。そのため、イオン交換樹脂の長寿命化を図ることが望まれている。
【０００４】
しかし、加圧水型原子力発電プラントにおいて発生する使用済み燃料プール水には、燃料棒から発生する放射線の照射を受けて水が分解されることにより発生する過酸化水素、及び過酸化水素から生成するヒドロペルオキシラジカルやヒドロキシラジカルなどの酸化促進物質（以下「酸化促進物質」という。）や、燃料の核分裂反応を制御するために添加されるホウ酸に由来するホウ素が含まれている。通常、過酸化水素は数ｐｐｍオーダーで含まれ、ホウ素は２０００〜３０００ｐｐｍ程度含まれている。これらの使用済み燃料水は、燃料プール水浄化装置で直接イオン交換処理される。しかし、粒状イオン交換樹脂を使用した脱塩装置では、これら酸化促進物質を除去することはできない。このため、燃料プール水、サイトバンカープール水及びこれらを浄化した後回収され、貯蔵される復水貯蔵プール水には、酸化促進物質が含まれたままとなっている。加えて、この酸化促進物質は、非常に強力な酸化作用を有するため、イオン交換樹脂のカチオン樹脂を酸化し、ポリスチレンスルホン酸（ＰＳＳ）を溶出させる。溶出したＰＳＳは、アニオン交換樹脂に付着し、アニオン交換樹脂の反応速度を低下させる。さらに、過酸化水素によりカチオン交換樹脂が酸化され劣化するため、カチオン交換樹脂から硫酸イオン等が溶出し、イオン交換樹脂の出口の導電率を上昇させる。さらに、酸化促進物質の強力な酸化作用により、配管やタンク等の鋼材の腐食の一因ともなっている。
【０００５】
イオン交換樹脂の劣化の主原因は、水中に含まれる酸化促進物質が接触してカチオン交換樹脂を酸化することによるものと考えられている。そこで、カチオン交換樹脂と接触する前に、酸化促進物質を含む水をアニオン交換樹脂と接触させてアルカリ分解する方法（特許文献１）、粒状活性炭と接触させて酸化促進物質を除去する方法や白金族系触媒粒子を担持させたイオン交換樹脂と接触させて酸化促進物質を除去する方法（特許文献２）、白金をコーティングした触媒コーティング膜に通水させて酸化促進物質を除去する方法（特許文献３）、活性炭と接触させて酸化促進物質を吸着させて除去する方法（特許文献４）、マンガンフィルタに通水して酸化促進物質を除去する方法（特許文献５）が提案されている。しかし、これまでに提案されている方法は、原子炉冷却水系や放射性廃液など酸化促進物質の濃度が０．０１〜０．００１ｍｇ／Ｌ程度の低い水の浄化処理に関し、１ｍｇ／Ｌ以上の高濃度の酸化促進物質、さらにはホウ酸（例えば２０００〜３０００ｍｇ／
Ｌ程度）を含む使用済み燃料プール水の浄化に用いられた例はない。
【先行技術文献】
【特許文献】
【０００６】
【特許文献１】特開２０００−００２７８７号公報
【特許文献２】特開平１０−１１１３８７号公報
【特許文献３】特開２００３−１５６５８９号公報
【特許文献４】特開２００８−２３２７７３号公報
【特許文献５】特願２０１２−２１７１３３号公報
【発明の概要】
【発明が解決しようとする課題】
【０００７】
本発明は、原子力発電プラント、特に加圧水型原子力発電プラントにおいて発生する使用済み燃料プール水中の酸化促進物質を低減させ、燃料プール水浄化装置におけるイオン交換樹脂を長寿命化させ、イオン交換樹脂の交換頻度を減少させることを目的とする。
【課題を解決するための手段】
【０００８】
本発明によれば、加圧水型原子力発電プラントの使用済み燃料プール水中において水の放射線分解により発生する過酸化水素などの酸化促進物質を含む被処理水をイオン交換樹脂により脱塩処理する前に、特定の金属担持樹脂と接触させて被処理水中の酸化促進物質を低減させ、脱塩装置の負荷を低減させて処理水の水質を高純度に維持すると共に、イオン交換樹脂の寿命を延長し、放射性二次廃棄物となる使用済みイオン交換樹脂の発生量を低減させる、加圧水型原子力発電プラントにおける水処理技術が提供される。
【０００９】
具体的には、本発明は以下の態様を含む。
［１］イオン交換樹脂の表層に２ｃｍ以上の層高で積層させた金属担持樹脂を充填してなる原子力発電使用済み燃料プール水浄化装置に、原子力発電使用済み燃料プール水を通水線流速５０ｍ／ｈ以下で通水して、使用済み燃料プール水に含まれている酸化促進物質を分解し、次いで、イオン交換樹脂に接触させることを含む、原子力発電使用済み燃料プール水浄化方法。
［２］前記金属担持樹脂に担持されている金属は、パラジウム、白金、マンガン、鉄又はチタンの微粒子から選択される、［１］に記載の原子力発電使用済み燃料プール水浄化方法。
［３］前記酸化促進物質は、過酸化水素、ヒドロペルオキシラジカル又はヒドロキシラジカルである、［１］又は［２］に記載の原子力発電使用済み燃料プール水浄化方法。
［４］原子力発電使用済み燃料プールからの使用済み燃料プール水を、［１］〜［３］のいずれかに記載の原子力発電使用済み燃料プール水浄化方法により前記原子力発電使用済み燃料プール水浄化装置で浄化した後、再び原子力発電使用済み燃料プールに戻して利用する、原子力発電使用済み燃料プール水処理方法。
［５］イオン交換樹脂の表層に２ｃｍ以上の層高で積層させた金属担持樹脂を充填してなる原子力発電使用済み燃料プール水浄化装置。
［６］原子力発電プラント使用済み燃料プールと、
イオン交換樹脂の表層に２ｃｍ以上の層高で積層させた金属担持樹脂を充填してなる原子力発電使用済み燃料プール水浄化装置と、
該原子力発電プラント使用済み燃料プールから、該原子力発電使用済み燃料プール水浄化装置へ、原子力発電使用済み燃料プール水を送液する送液ラインと、
該原子力発電使用済み燃料プール水浄化装置にて浄化された使用済み燃料プール水を該原子力発電使用済み燃料プールへ戻す使用済み燃料プール水循環ラインと、
を具備する、原子力発電使用済み燃料プール水処理装置。
【発明の効果】
【００１０】
本発明の原子力発電プラントの使用済み燃料プールの水処理方法及び装置によれば、使用済み燃料から発生する放射線により、水の放射線分解により生成する過酸化水素などの酸化促進物質を効率よく分解できるので、脱塩装置に充填されているイオン交換樹脂の酸化劣化を防止し、処理水の水質を高純度に維持できるとともに、イオン交換樹脂の寿命を長くして放射性二次廃棄物となる使用済みイオン交換樹脂の発生量を低減することができる。加圧水型原子力発電プラントの使用済み燃料プールにおける水処理にとって、放射性二次廃棄物の減容化は重要な課題であり、これらを達成することができる本発明の意義は大きい。
【図面の簡単な説明】
【００１１】
【図１】図１は、原子力発電プラントの使用済み燃料プール水を処理する場合の本発明の水処理装置のフローを示す概略構成図である。
【図２】図２は、実施例１の処理結果を示すグラフである。
【図３】図３は、実施例２の処理結果を示すグラフである。
【図４】図４は、実施例３の処理結果を示すグラフである。
【発明を実施するための形態】
【００１２】
以下、添付図面を参照しながら本発明を説明するが、本発明はこれらに限定されるものではない。
図１に、原子力発電プラントの使用済み燃料プール水を処理する場合の本発明の水処理装置の概略フローを示す。使用済み燃料プール１には、原子炉から取り出された使用済み燃料棒を冷却保管するため冷却水（「使用済み燃料プール水」ともいう）が充てんされている。原子炉から取り出された使用済み燃料棒は、燃料プール水中に保管されている間にも放射線を放出し続けるため、使用済み燃料プール水は放射線分解され、過酸化水素、ヒドロキシラジカル、ヒドロキシペルオキシラジカルが発生する。使用済み燃料プール１（被処理水貯留槽）からの使用済み燃料プール水（被処理水）は、移送ポンプ２によって燃料プール浄化装置３に送られる。燃料プール浄化装置３は、イオン交換樹脂が充てんされてなるイオン交換樹脂層３ａと、イオン交換樹脂層の表層上に２ｃｍ以上、より好ましくは５ｃｍ以上の層高で充てんされてなる金属担持樹脂層３ｂと、を含む。２ｃｍ未満であると、酸化促進物質の分解が十分ではない。金属担持樹脂層の層高の上限は特に制限はないが、およそ１０ｃｍを超えると流速が遅くなり処理水量が減少するので適切な層高を決定するとよい。使用済み燃料プール水中の酸化促進物質は、金属担持樹脂層を通過する際に分解される。続いてイオン交換樹脂層で不純物イオンが除去される。脱塩処理後の処理水は使用済み燃料プール１に戻され、冷却水として再び使用される。脱塩装置３への被処理水の通水流量は、通水線流速で１０〜５０ｍ／ｈ程度の範囲とする。１０ｍ／ｈ未満では循環水量が少なくなり使用済み燃料棒の冷却効果が低下する。５０ｍ／ｈを超えると、酸化促進物質と金属担持樹脂との接触効率が低下し、分解能が低下する。
【００１３】
本発明で用いるイオン交換樹脂は、通常の原子力発電プラントの使用済み燃料プール水浄化装置に用いられるイオン交換樹脂でよく、アニオン交換樹脂とカチオン交換樹脂との混床型が好ましい。例えば、混床イオン交換樹脂（三菱化学株式会社ＳＮＭ１）が好適である。
【００１４】
本発明で用いる金属担持樹脂としては、パラジウム、白金、マンガン、鉄又はチタンの微粒子から選択される金属粒子をポリマー樹脂上に担持させてなる強塩基性ゲルタイプ球形樹脂が好ましい。
【実施例】
【００１５】
以下、実施例により本発明を更に詳細に説明する。
［実施例１］
金属担持樹脂を用いて、浸漬試験により過酸化水素の分解能力を確認した。
【００１６】
まず、金属担持樹脂として、ランクセス社のＰｄ担持樹脂Lewatit（登録商標）K7333を用いた。２００ｍｌビーカーに、２０ｍｇ／Ｌ過酸化水素水と２８００ｍｇ／Ｌ（Ｂ濃度として）になるようにホウ酸を溶解した原液１００ｍｌを入れ、Ｐｄ担持樹脂を１ｍｌ投入し、時間経過による過酸化水素濃度を測定した。尚、この過酸化水素濃度とホウ素濃度は、加圧水型（ＰＷＲ）原子力発電プラントの燃料プール水の水質を模擬したものである。参考として、ホウ酸を添加しない原液、即ち、過酸化水素のみ添加した水で同じ試験を実施した。過酸化水素濃度はヨウ素法（日本原子力学会ＰＷＲ化学分析標準法2006）を用い、分光光度計にて３５０ｎｍの波長における吸光度を測定し算出した。結果を表１及び図２に示す。
【００１７】
【表１】
2018084590.tif 000003
【００１８】
図２より、Ｐｄ担持樹脂の過酸化水素分解能力が高く、浸漬後２時間で添加した過酸化水素の５０％以上を分解していることがわかる。また、ホウ酸を添加したことによる過酸化水素分解能力への影響は認められなかった。
【００１９】
［実施例２］
金属担持樹脂を用いて、カラム通水試験により過酸化水素の分解能力を確認した。
まず、金属担持樹脂として、ランクセス社のＰｄ担持樹脂Lewatit（登録商標）K7333を用い、内径１６ｍｍのガラスカラムに１〜１０ｃｍの層高で充填した。約２ｍｇ／Ｌに調整した過酸化水素水を通水線速度ＬＶ＝１０〜７０ｍ／ｈで通水することによって金属担持樹脂の過酸化水素除去性能を調べた。結果を表２及び図３に示す。
【００２０】
【表２】
2018084590.tif 000004
【００２１】
図３より、層高は２ｃｍ以上、通水ＬＶは５０ｍ／ｈ以下の範囲であれば、９０％以上の過酸化水素を分解可能であることがわかる。
［実施例３］
過酸化水素によるイオン交換樹脂の劣化への影響を確認した。
【００２２】
種々の過酸化水素濃度の溶液にカチオン樹脂を２４時間浸漬して、全有機炭素（ＴＯＣ）濃度を島津製作所製ＴＯＣ−Ｖにて測定した。図４に示すとおり、過酸化水素濃度が１ｐｐｍ未満であれば樹脂劣化への影響はほとんどないことが確認された。従って、数ｐｐ
ｍオーダーで燃料プール内に存在する過酸化水素を９０％以上分解すればよいと言える。
【００２３】
通常、ＴＯＣ濃度が２０ｐｐｍを超えるとイオン交換樹脂の交換が行われる。図４から、過酸化水素濃度が約３．５ｐｐｍを越えるとＴＯＣ濃度が２０ｐｐｍを越え、イオン交換樹脂の交換が必要となることがわかる。図２及び図４から、原水（過酸化水素濃度２０ｐｐｍ）のままでは１回の通水でもイオン交換樹脂の交換が必要となるほど過酸化水素濃度が高いが、本発明の処理方法を用いることによって、９５％の過酸化水素分解率が達成され、イオン交換樹脂に通水される被処理水中の過酸化水素濃度は１ｐｐｍ以下となり、イオン交換樹脂の交換頻度は大幅に減少することがわかる。
【産業上の利用可能性】
【００２４】
本発明によれば、加圧水型原子力発電プラントの使用済み燃料プール水中において水の放射線分解により発生する過酸化水素などの酸化促進物質を含む被処理水をイオン交換樹脂による脱塩処理する前に、被処理水中の酸化促進物質を低減させ、脱塩装置の負荷を低減させて処理水の水質を高純度に維持すると共に、イオン交換樹脂の寿命を延長し、放射性二次廃棄物となる使用済みイオン交換樹脂の発生量を低減させることが出来るため、発明の意義は大きい。
【図１】
2018084590.tif 000005
【図２】
2018084590.tif 000006
【図３】
2018084590.tif 000007
【図４】
2018084590.tif 000008